(57)【要約】【課題】  簡易な構成により、放送の受信の可否に大きな影響を受けず時刻を補正する。【解決手段】  ＤＶＤレコーダ１００は、時刻を検出する計時回路１２６と、テレビジョン放送の放送信号を受信するアンテナ１９０と、アンテナ１９０で受信された放送信号に基づく映像データをＤＶＤディスク１７２に格納するＤＶＤ駆動装置１７０と、放送信号に含まれる、画像の時刻を表わす部分のデータを記憶するハードディスク装置１４０と、アンテナ１９０により受信された放送信号に基づく映像データとハードディスク装置１４０に記憶された時刻を表わす部分のデータとを比較し、映像データのいずれかと時刻を表わす部分のデータとが一致している場合に、計時回路１２６が検出する時刻および画像の部分のデータに対応する時刻が一致するように、計時回路１２６を調整するシステム制御回路１１０とを含む。【選択図】        図１
2006174259.tif 000002
【特許請求の範囲】
【請求項１】
時刻を検出するための検出手段と、
テレビジョン放送の放送信号を受信するための受信手段と、
前記受信手段で受信された放送信号に基づく映像データを光ディスクに格納するＤＶＤ駆動装置と、
前記放送信号に含まれる、画像の時刻を表わす部分のデータを記憶するための記憶手段と、
前記受信手段により受信された前記放送信号に基づく映像データと前記記憶手段に記憶された前記画像の時刻を表わす部分のデータとを比較するための画像比較手段と、
前記画像比較手段により比較された結果、前記映像データのいずれかと前記画像の時刻を表わす部分のデータとが一致していると判断された場合に、前記検出手段が検出する時刻および前記画像の部分のデータに対応する時刻が一致するように、前記検出手段を調整するための調整手段とを含む、ＤＶＤレコーダ。
【請求項２】
時刻を検出するための検出手段と、
放送信号を受信するための受信手段と、
前記受信手段で受信された放送信号に含まれる、特定の画像データを記憶するための記憶手段と、
前記受信手段により受信された放送信号に基づく映像データと前記記憶手段に記憶された前記特定の画像データとを比較するための画像比較手段と、
前記画像比較手段により比較された結果、前記映像データのいずれかと前記特定の画像データとが一致していると判断された場合に、前記検出手段が検出する時刻および前記特定の画像データに対応する時刻が一致するように、前記検出手段を調整するための調整手段とを含む、時刻検出装置。
【請求項３】
前記特定の画像データは、画像の部分のデータを含む、請求項２に記載の時刻検出装置。
【請求項４】
前記画像の部分は、画像の時刻を表わす部分を含む、請求項３に記載の時刻検出装置。
【請求項５】
前記時刻検出装置は、前記映像データのいずれかである画像データの指定を受付けるための受付手段をさらに含み、
前記記憶手段は、前記受付手段が指定を受付けた画像データを、前記特定の画像データとして記憶するための手段を含む、請求項２に記載の時刻検出装置。
【請求項６】
前記時刻検出装置は、時刻を受付けるための受付手段をさらに含み、
前記特定の画像データに対応する時刻は、前記受付手段が受付けた時刻である、請求項２に記載の時刻検出装置。
【請求項７】
前記時刻検出装置は、前記映像データのいずれかが表わす画像および前記特定の画像データが表わす画像をぼかすように、前記映像データのいずれかおよび前記特定の画像データを加工するための加工手段をさらに含み、
前記画像比較手段は、前記加工手段が加工した映像データと前記加工手段が加工した特定の画像データとを比較するための手段を含む、請求項２に記載の時刻検出装置。
【請求項８】
請求項２に記載の時刻検出装置を含む、衛星放送受信装置。
【請求項９】
請求項２に記載の時刻検出装置を含む、テレビ受像機。
【発明の詳細な説明】
【技術分野】
【０００１】
本発明は、ＤＶＤ（Digital Versatile Disc）レコーダ、時刻検出装置、衛星放送受信装置、およびテレビ受像機に関し、特に、テレビジョン放送の受信用の、ＤＶＤレコーダ、時刻検出装置、衛星放送受信装置、およびテレビ受像機に関する。
【背景技術】
【０００２】
特許文献１には、録画予約のための予約データに基づいて予約された番組の放送局を選局する選局回路を備え、かつ、予約データと、選局回路によって選局された放送局からのテレビジョン信号中に挿入されている識別データとの比較出力に基づいて予約された番組の録画を実行する録画装置において、選局回路は、予約された番組の放送局および現在の時刻に関する情報が挿入されたテレビジョン信号を送信している放送局を、予約録画のために待機している間に所定時間ずつ選局する録画装置が開示されている。この発明によると、自動的に時刻を補正できる。
【０００３】
また、特許文献２には、複数のチューナと、第１のチューナで受信・復調された放送信号を視聴用の信号として出力できる視聴出力装置と、複数のチューナのいずれかで受信・復調された放送信号を記録媒体に記録できる記録装置と、複数のチューナがそれぞれ実行する受信・復調動作について、その受信・復調動作の目的に応じて優先順位を設定するとともに、チューナによる受信・復調動作が必要とされる際には、その受信・復調動作の目的種別および優先順位に基づいて、複数のチューナのいずれかに受信・復調動作を実行させる制御回路とを備える放送受信装置が開示されている。この発明によると、時刻を補正するよう指定された時間に主電源が入っていても（ユーザが放送受信装置に時刻を補正できない放送を受信させていても）時刻を補正できる。
【０００４】
しかし、前述の特許文献１に開示された発明では、時間が大幅に狂っている場合、時刻を補正できないという問題点がある。時間が大幅に狂っている場合に時刻を補正できないのは、時刻を補正するための信号が、通常、時刻を特定するものではない（具体的な時刻が不明な、特定の周期を表わす信号に過ぎない）ためである。特許文献１に開示された発明では、ときに時刻を補正することが困難であるという問題点もある。時刻を補正することが困難であるのは、現在の時刻に関する情報が挿入されたテレビジョン放送信号の受信を前提としているためである。
【０００５】
前述の特許文献２に開示された発明では、構造が複雑になりやすいという問題点がある。複数のチューナを必要とするためである。特許文献２に開示された発明では、ときに時刻を補正することが困難であるという問題点もある。時刻を補正することが困難であるのは、現在の時刻に関する情報が挿入されたテレビジョン放送信号の受信を前提としているためである。
【特許文献１】特開平８−２０３１５８号公報
【特許文献２】特開２００４−６４４７８号公報
【発明の開示】
【発明が解決しようとする課題】
【０００６】
本発明は、上記のような問題を解決するためになされたものであって、その目的は、簡易な構成により、放送の受信の可否に大きな影響を受けず時刻を補正できるＤＶＤレコーダ、時刻検出装置、衛星放送受信装置、およびテレビ受像機を提供することである。
【課題を解決するための手段】
【０００７】
上記目的を達成するために、本発明のある局面にしたがうと、ＤＶＤレコーダは、時刻を検出するための検出手段と、テレビジョン放送の放送信号を受信するための受信手段と、受信手段で受信された放送信号に基づく映像データを光ディスクに格納するＤＶＤ駆動装置と、放送信号に含まれる、画像の時刻を表わす部分のデータを記憶するための記憶手段と、受信手段により受信された放送信号に基づく映像データと記憶手段に記憶された画像の時刻を表わす部分のデータとを比較するための画像比較手段と、画像比較手段により比較された結果、映像データのいずれかと画像の時刻を表わす部分のデータとが一致していると判断された場合に、検出手段が検出する時刻および画像の部分のデータに対応する時刻が一致するように、検出手段を調整するための調整手段とを含む。
【０００８】
すなわち、調整手段は、画像比較手段により比較された結果、受信手段で受信されたテレビジョン放送の放送信号に基づく映像データのいずれかと記憶手段が記憶した画像の時刻を表わす部分のデータとが一致していると判断された場合に、検出手段が検出する時刻および画像の時刻を表わす部分のデータに対応する時刻が一致するように、検出手段を調整する。映像データを受信することが放送の受信の可否から受ける影響は少ない。画像の部分のデータに対応する映像データを受信することが放送の受信の可否から受ける影響はより少ない。画像の時刻を表わす部分のデータに対応する映像データを受信する時刻には誤差が少ないことが多い。映像データを受信することは、簡易な構成により実現できる。これにより、簡単な構成しか有していなくても、少ない誤差で、より放送の受信の可否に大きな影響を受けず、時刻を補正することができる。その結果、簡易な構成により、少ない誤差で、より放送の受信の可否に大きな影響を受けず時刻を補正できる時刻検出装置を提供することができる。
【０００９】
本発明の他の局面にしたがうと、時刻検出装置は、時刻を検出するための検出手段と、放送信号を受信するための受信手段と、受信手段で受信された放送信号に含まれる、特定の画像データを記憶するための記憶手段と、受信手段により受信された放送信号に基づく映像データと記憶手段に記憶された特定の画像データとを比較するための画像比較手段と、画像比較手段により比較された結果、映像データのいずれかと特定の画像データとが一致していると判断された場合に、検出手段が検出する時刻および特定の画像データに対応する時刻が一致するように、検出手段を調整するための調整手段とを含む。
【００１０】
すなわち、調整手段は、画像比較手段により比較された結果、受信手段で受信された放送信号に基づく映像データのいずれかと記憶手段が記憶した特定の画像データとが一致していると判断された場合に、検出手段が検出する時刻および特定の画像データに対応する時刻が一致するように、検出手段を調整する。映像データを受信することが放送の受信の可否から受ける影響は少ない。映像データを受信することは、簡易な構成により実現できる。これにより、簡単な構成しか有していなくても、放送の受信の可否に大きな影響を受けず、時刻を補正することができる。その結果、簡易な構成により、放送の受信の可否に大きな影響を受けず時刻を補正できる時刻検出装置を提供することができる。
【００１１】
また、上述の特定の画像データは、画像の部分のデータを含むことが望ましい。
【００１２】
すなわち、調整手段は、画像比較手段により比較された結果、受信手段で受信された放送信号に基づく映像データのいずれかと記憶手段が記憶した画像の部分のデータとが一致していると判断された場合に、検出手段が検出する時刻および画像の部分のデータに対応する時刻が一致するように、検出手段を調整する。映像データを受信することが放送の受信の可否から受ける影響は少ない。画像の部分のデータに対応する映像データを受信することが放送の受信の可否から受ける影響はより少ない。これにより、簡単な構成しか有していなくても、より放送の受信の可否に大きな影響を受けず、時刻を補正することができる。その結果、簡易な構成により、より放送の受信の可否に大きな影響を受けず時刻を補正できる時刻検出装置を提供することができる。
【００１３】
また、上述の画像の部分は、画像の時刻を表わす部分を含むことが望ましい。
【００１４】
すなわち、調整手段は、画像比較手段により比較された結果、受信手段で受信された放送信号に基づく映像データのいずれかと記憶手段が記憶した画像の時刻を表わす部分のデータとが一致していると判断された場合に、検出手段が検出する時刻および画像の時刻を表わす部分のデータに対応する時刻が一致するように、検出手段を調整する。画像の時刻を表わす部分のデータに対応する映像データを受信する時刻には誤差が少ないことが多い。これにより、簡単な構成しか有していなくても、少ない誤差で、より放送の受信の可否に大きな影響を受けず、時刻を補正することができる。その結果、簡易な構成により、少ない誤差で、より放送の受信の可否に大きな影響を受けず時刻を補正できる時刻検出装置を提供することができる。
【００１５】
また、上述の時刻検出装置は、映像データのいずれかである画像データの指定を受付けるための受付手段をさらに含むことが望ましい。記憶手段は、受付手段が指定を受付けた画像データを、特定の画像データとして記憶するための手段を含むことが望ましい。
【００１６】
また、上述の時刻検出装置は、時刻を受付けるための受付手段をさらに含むことが望ましい。特定の画像データに対応する時刻は、受付手段が受付けた時刻であることが望ましい。
【００１７】
また、上述の時刻検出装置は、映像データのいずれかが表わす画像および特定の画像データが表わす画像をぼかすように、映像データのいずれかおよび特定の画像データを加工するための加工手段をさらに含むことが望ましい。画像比較手段は、加工手段が加工した映像データと加工手段が加工した特定の画像データとを比較するための手段を含むことが望ましい。
【００１８】
すなわち、加工手段は、映像データのいずれかが表わす画像および特定の画像データが表わす画像をぼかすように、映像データのいずれかおよび特定の画像データを加工する。画像比較手段は、加工手段が加工した映像データと加工手段が加工した特定の画像データとを比較する。調整手段は、画像比較手段により比較された結果、受信手段で受信された放送信号に基づく映像データのいずれかと記憶手段が記憶した特定の画像データとが一致していると判断された場合に、検出手段が検出する時刻および特定の画像データに対応する時刻が一致するように、検出手段を調整する。これにより、映像データのいずれかが表わす画像の内容が画像比較手段による比較に与える影響は少なくなる。影響が少ないので、簡単な構成しか有していなくても、映像データのいずれかが表わす画像の内容に大きな影響を受けず、時刻を補正することができる。その結果、簡易な構成により、映像データのいずれかが表わす画像の内容や放送の受信の可否に大きな影響を受けず時刻を補正できる時刻検出装置を提供することができる。
【００１９】
本発明の他の局面にしたがうと、衛星放送受信装置は、上述の時刻検出装置を含む。
【００２０】
本発明の他の局面にしたがうと、テレビ受像機は、上述の時刻検出装置を含む。
【発明の効果】
【００２１】
本発明に係るＤＶＤレコーダ、時刻検出装置、衛星放送受信装置、およびテレビ受像機は、簡易な構成により、放送の受信の可否に大きな影響を受けず時刻を補正できる。
【発明を実施するための最良の形態】
【００２２】
本発明の実施の形態について図面を参照しながら詳細に説明する。なお、図中同一または相当部分には同一符号を付してその説明は繰返さない。
【００２３】
図１を参照して、本発明の実施の形態に係る時刻検出装置の一態様であるＤＶＤレコーダ１００について説明する。図１は、ＤＶＤレコーダ１００のハードウェア構成を表わすブロック図である。
【００２４】
ＤＶＤレコーダ１００は、データを格納するためのメモリ１１２と、格納されているデータおよび外部から入力される指示に基づいて予め定められた処理を実行するためのシステム制御回路１１０と、外部から時刻や後述する映像データのいずれかである画像データの指定などの入力を受付けるための操作部１２２と、リモコン信号を受信して所定の制御信号をシステム制御回路１１０に出力することにより、時刻や後述する映像データのいずれかである画像データの指定などを受付ける受光部１２４と、時刻を検出してその時刻を表わす信号をシステム制御回路１１０に出力するための計時回路１２６と、ＤＶＤレコーダ１００の作動状態を表わす情報を表示するための表示部１２８と、電源部１２９とを含む。なお、表示部１２８に表示される作動状態とは、たとえば、ＤＶＤレコーダ１００における時刻情報、番組の録画状態等である。電源部１２９は、システム制御回路１１０からの指令信号を受けて、各ハードウェアに電力を供給する。
【００２５】
図１を再び参照して、ＤＶＤレコーダ１００はさらに、放送信号を受信するアンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、アンテナで受信された放送信号に基づく映像データや音声データを光ディスク（本実施の形態の場合ＤＶＤディスク１７２）に格納したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが格納される記録媒体としてのハードディスク１４４とを含む。
【００２６】
図２は、本実施の形態におけるＤＶＤレコーダ１００のシステム制御回路１１０が実行する時刻の補正処理の流れを示すフローチャートである。
【００２７】
図２を参照して、システム制御回路１１０は、一定周期で、ＭＰＥＧエンコーダ１５２から取得される（すなわちアンテナ１９０により受信された）放送信号に基づく映像データ（以下「受信映像」）と、たとえばハードディスク１４４に記憶された特定の画像データ（以下「記憶画像」という）とを比較する（ステップＳ２）。この記憶画像については、後に詳述する。
【００２８】
上記ステップＳ２においては、たとえば、受信映像（動画像）が表わす１フレーム分の画像と記憶画像が表わす画像とをそれぞれぼかし、ぼかした画像の１フレーム分のデータを１対１で重ね合わせて比較するものとする。これらの画像をぼかすため、システム制御回路１１０は、受信映像（動画像）のうち１フレーム分の画像を表わす映像データ（「フレームデータ」と称する）および記憶画像を加工する。本実施の形態の場合、システム制御回路１１０は、画像を構成する画素の色を、予め定められた複数の色のいずれか（それらの色のうち最も近い色であることが望ましい。最も近い色が２つある場合、隣接する画素の色に対し差異が大きくなる色が望ましい。）に変更するように、フレームデータおよび記憶画像を加工する。なお、画像比較はこのような方法に限らず、公知の技術を用いて行なうことができる。また、各々の画像データを構成する複数の点の情報を波の情報に変換して比較することとしてもよい。このようにすることにより、受信映像と記憶画像とが完全に一致していない場合でも、同様の画像であるときは一致したと判断することができる。また、放送を適切に受信できないため、受信した映像にノイズが入っていても、同様の画像であるときは一致したと判断することができる。
【００２９】
システム制御回路１１０は、受信映像と記憶画像とが一致したことを検知するまで待機する（ステップＳ４においてＮＯ）。
【００３０】
システム制御回路１１０は、受信画像と記憶画像とが一致したことを検知した場合には（ステップＳ４においてＹＥＳ）、記憶画像に対応する時刻および計時回路１２６が検出した時刻が一致するか否かを判断する（ステップＳ６）。
【００３１】
ステップＳ６において、システム制御回路１１０は、記憶画像に対応する時刻および計時回路１２６が検出した時刻が一致する場合には、処理を終了する。これにより、通常の処理（映像の録画や再生など）を実施することができる。一方、そうでない場合には、システム制御回路１１０は、記憶画像に対応する時刻および計時回路１２６が検出する時刻が一致するように、計時回路１２６を調整する（ステップＳ１０）。
【００３２】
これにより、システム制御回路１１０は、自ら比較した結果、映像データのいずれかと特定の画像データとが一致していると判断した場合に、計時回路１２６が検出する時刻および特定の画像データに対応する時刻が一致するように、計時回路１２６を調整することとなる。したがって、計時回路１２６が検出する時刻に誤差があった場合でも、自動的に時刻を補正することが可能となる。
【００３３】
ここで、記憶画像について説明する。本実施の形態において、記憶画像は、たとえば、ハードディスク１４４やＤＶＤディスク１７２に格納された映像データから、ユーザにより設定される。図３は、本発明の実施の形態においてシステム制御回路１１０が実行する記憶画像設定処理の流れを示す図である。なお、図３に示す処理は、ユーザによって、たとえば図示しないリモコン等で記憶画像設定処理が選択された場合に開始される処理である。
【００３４】
図３を参照して、システム制御回路１１０は、はじめに、ハードディスク１４４に格納されている映像データのタイトル一覧を表示させる（ステップＳ１２）。次に、ユーザからタイトルが指定されたか否かを判断する（ステップＳ１４）。システム制御回路１１０は、ユーザによりタイトルが指定されたことを検知するまで待機する（ステップＳ１４においてＮＯ）。
【００３５】
システム制御回路１１０は、タイトルが指定されたことを検知した場合に（ステップＳ１４においてＹＥＳ）、記憶画像設定画面を表示させる（ステップＳ１６）。次に、指定されたタイトルを再生する（ステップＳ１８）。システム制御回路１１０は、ユーザから画像が指定されたか否かを判断する（ステップＳ２０）。システム制御回路１１０は、ユーザから画像が指定されたことを検知するまで指定されたタイトルの再生を行なう（ステップＳ２０においてＮＯ）。
【００３６】
システム制御回路１１０は、ユーザにより画像が指定されたことを検知すると（ステップＳ２０においてＹＥＳ）、再生を停止する（ステップＳ２２）。そして、指定された画像データを記憶画像としてハードディスク１４４に記憶させる（ステップＳ２４）。これにより、ハードディスク１４４は、アンテナ１９０で受信された放送信号に含まれる、特定の画像データを記憶することとなる。ここで、記憶画像として記憶させる画像データは、たとえば、フレーム内符号化されたＩピクチャとしてもよい。
【００３７】
次に、システム制御回路１１０は、ユーザにより、指定された画像データに対応させる時刻が設定されたか否かを判断する（ステップＳ２６）。システム制御回路１１０は、ユーザにより時刻が設定されたことを検知するまで待機する（ステップＳ２６においてＮＯ）。
【００３８】
システム制御回路１１０は、ユーザにより時刻が設定されたことを検知した場合（ステップＳ２６においてＹＥＳ）、設定された時刻を、ステップＳ２４において記憶した記憶画像と対応付けて記憶させる（ステップＳ２８）。
【００３９】
本実施の形態においては、記憶画像と時刻とは、ハードディスク１４４の管理領域に各々対応付けて記憶されるものとする。なお、記憶画像と時刻とが対応付けられれば、他の領域に記憶させることとしてもかまわない。また、記憶画像と時刻とは、たとえばメモリ１１２内の不揮発性メモリに記憶されることとしてもよい。
【００４０】
図４は、図３のステップＳ１６で表示した記憶画像設定画面の一例を示す図である。表示領域３１には、ステップＳ１４で指定されたタイトル名が表示される。表示領域３２には、ステップＳ１８で再生される映像が表示される。表示領域３３には、指定されたタイトルのうち、表示領域３２に表示される映像の位置が表示される。また、記憶画像設定画面には、時刻の表示３４が表示される。時刻の表示３４には設定される時刻が表示される。
【００４１】
このように記憶画像の設定に記憶画像設定画面を設けることにより、ユーザが簡単に記憶画像を設定することができる。
【００４２】
図４を参照して、ユーザが、テレビ４００の画面に一覧表示されたタイトルの中からたとえば「ニュース８：００」を選択したとすると（図３のステップＳ１２）、表示領域３１にはそのタイトル名が表示される（ステップＳ１６）。ユーザが表示領域３２に再生表示される映像を見ながら、たとえば図示しないリモコンなどで記憶させたい画像を指定する（Ｓ２０）。たとえばユーザが毎日「ニュース８：００」のタイトル表示に基づき時刻を設定したい場合、このタイトル表示が表示される時の画像を指定する。
【００４３】
このように画像が指定されると表示領域３２の再生が停止される。再生が停止されると、システム制御回路１１０は、表示領域３２に複数の境界線３５を表示させる。図５は、境界線３５が表示された画像を表わす図である。境界線３５が表示されると、システム制御回路１１０は、上述したリモコンのカーソルキーなどでの指定に応じて、境界線３５を移動させ（ステップＳ２２）、画像のうち、境界線３５の位置が確定した時点で境界線３５に囲まれた部分（この場合、「８：００」という、映像データのうち１つのフレームを表わすデータを放送局が送信した時の、時刻を表わす部分が囲まれたこととする。本実施の形態において、画像全体を指定したい場合、境界線３５を表示領域３２の外周に移動させることとする。）の画像のデータを、記憶画像（すなわち上述した特定の画像データ）として記憶させる（Ｓ２４）。これにより、ハードディスク１４４は、受光部１２４が指定を受付けた画像データを、特定の画像データとして記憶することとなる。そして、ユーザが、上述したリモコンなどでその記憶画像に対応する時刻を設定すると（Ｓ２６）、設定された時刻（すなわち受光部１２４が受付けた時刻）を、上述した特定の画像データに対応する時刻として、記憶画像に対応付けて記憶させる（ステップＳ２８）。上記の例の場合、ユーザは時刻を「８時」に設定する可能性が高い。ただし計時回路１２６が検出する時刻を進めたい（あるいは遅くしたい）とユーザが考えた場合などには、ユーザが設定する時刻は「８時」以外の時刻となる。
【００４４】
以上のようにして、本実施の形態にかかるＤＶＤレコーダは、自動的に時刻を補正できる。時刻の補正にあたり、特に時刻を表わす信号を受信する必要がない。時刻を表わす信号を受信する必要がないので、特定の放送を受信しなくても時刻を補正できる。特定の放送を受信しなくてもよいので、複雑な構成を必要としない。放送の受信の可否にも大きな影響を受けない。その結果、簡易な構成により、放送の受信の可否に大きな影響を受けず時刻を補正できるＤＶＤレコーダを提供することができる。
【００４５】
なお、記憶画像の設定方法は上記の例に限られない。たとえば、ＤＶＤディスク１７２に格納された映像データから記憶画像を設定することとしてもかまわない。この場合、予め設定されたチャプタを利用することもできる。図６は、記憶画像設定画面の他の例を示す図である。図６を参照して、テレビ４００の画面にはチャプタ画像Ａ〜チャプタ画像Ｆが表示される。また、図４に示した時刻の表示３４が表示される。ユーザは、表示されたチャプタ画像のうち１つの画像を選択する。画像が選択されると、図５と同様の画面が表示され、記憶させる画像の設定を受付ける。これにより、記憶画像を設定することができる。ユーザにより設定された画像データは、記憶画像としてハードディスク１４４の管理領域に記憶される。また、図５と同様に、ユーザが時刻を設定することにより、記憶画像に対応する時刻を決定する。
【００４６】
また、図示しないリモコンに記憶画像設定専用のボタンを設けることとしてもかまわない。たとえば、ハードディスク１４４やＤＶＤディスク１７２に格納されている映像データの再生中に、この専用ボタンを押すことにより記憶画像を決定して記憶させることができる。この場合、記憶画像をハードディスク１４４の管理領域等に記憶させた後、時刻を対応付けて記憶させる。
【００４７】
また、ユーザによらず、予め記憶画像が記憶されていてもかまわない。たとえば、放送局が放送を開始する（あるいは終了する）際に放送する画像の画像データや、テストパターンの画像の画像データや、ニュース番組の開始時に放送される画像の画像データや、時刻を表わす画像（時刻をデジタル表示する画像および時計盤の画像はいずれも時刻を表わす画像である）の部分の画像データなどを予め記憶させておくことで、時刻を自動的に補正することができる。特にニュース番組の開始時に放送される画像は、他の番組の影響を受けることが少ない（ひいては特定の時間に放送されることが多い）ので、予め記憶する画像として特に望ましい。
【００４８】
また、Ｓ２において、画像をぼかすことなく比較してもよい。
【００４９】
また、過去にユーザが定期的に所定回数視聴した画像（たとえば３日以上連続して視聴した画像）があれば、その画像の画像データを記憶画像として記憶することとしてもかまわない。この場合、その画像が放送される時刻を記憶画像に対応付けて記憶させてもよい。
【００５０】
なお、本実施の形態において、ハードディスク装置１４０およびＤＶＤ駆動装置１７０の両方を含む構成としたが、本発明にかかる時刻検出装置は、ハードディスク装置１４０だけであってもかまわないし、ＤＶＤ駆動装置１７０だけであってもかまわない。
【００５１】
（変形例）
図７を参照して、本発明の実施の形態の変形例について説明する。図７は、時刻検出装置の一態様であるＤＶＤレコーダ２００を内蔵したテレビ受像機（以下「テレビ」という）１０００のハードウェア構成を表わすブロック図である。
【００５２】
図７を参照して、本発明の実施の形態の変形例に係るテレビ１０００は、ＤＶＤレコーダ２００に加えて、モニタ部４０００を備える。また、ＤＶＤレコーダ２００は、図１を用いて説明したＤＶＤレコーダ１００に含まれる出力部１６８に代えて内部インターフェース２６８を備える。内部インターフェース２６８は、Ｄ／Ａ変換部１６０からの信号をモニタ部４０００で表示可能な信号に変換・調整する。他の構成および動作については、上記実施の形態と同様であるので、これらについての説明を繰返さない。
【００５３】
本発明の実施の形態の変形例に係るテレビ１０００は、図２のステップＳ１０で時刻が設定されると、アンテナ１９０およびチューナ１３０を介して受信される放送信号に基づく映像を、内部インターフェース２６８を介してモニタ部４０００に表示させることができる。
【００５４】
したがって、より、視聴し忘れを防止することが可能となる。
【００５５】
なお、本発明の実施の形態において、画像比較をすることとしたが、音声信号を比較することにより計時回路１２６を調整してもよい。
【００５６】
また、セットトップボックスのような衛星放送受信装置（受信コンバータ）に上述した時刻検出装置が内蔵されている構成であってもよい。この場合、少なくともＤＶＤ駆動装置１７０を欠いてもよい。
【００５７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５８】
【図１】本発明の実施の形態に係るＤＶＤレコーダのハードウェア構成を表わすブロック図である。
【図２】本発明の実施の形態に係るＤＶＤレコーダのシステム制御回路が実行する時刻の補正処理の流れを示すフローチャートである。
【図３】本発明の実施の形態においてシステム制御回路が実行する記憶画像設定処理の流れを示す図である。
【図４】記憶画像設定画面（その１）の例を示す図である。
【図５】記憶画像設定画面（その２）を示す図である。
【図６】記憶画像設定画面（その１）の他の例を示す図である。
【図７】本発明の実施の形態の変形例に係るテレビのハードウェア構成を表わすブロック図である。
【符号の説明】
【００５９】
３１，３２，３３  表示領域、３４  時刻の表示、３５  境界線、１００，２００  ＤＶＤレコーダ、１１０  システム制御回路、１１２  メモリ、１１４  ＯＳＤ画像生成回路、１２２  操作部、１２４  受光部、１２６  計時回路、１２８  表示部、１２９  電源部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤディスク、１９０  アンテナ、１９２  伝送ケーブル、４００，１０００  テレビ、４０００  モニタ部。
【図１】
2006174259.tif 000003
【図２】
2006174259.tif 000004
【図３】
2006174259.tif 000005
【図４】
2006174259.tif 000006
【図５】
2006174259.tif 000007
【図６】
2006174259.tif 000008
【図７】
2006174259.tif 000009